(57)【要約】      （修正有）【課題】無線電話端末において、アクセスポイントの送信可能範囲以外であっても、無線電話端末のみで周囲に配慮した鳴動音量を実現する技術を提供する。【解決手段】自無線電話端末が受信する無線信号から迷惑がかかりそうな範囲の無線電話端末の数を計数し、計数した無線電話端末の数に応じて無線電話端末の鳴動音量を変更することにより、アクセスポイントに送信可能範囲に係らず周囲に配慮した無線電話端末の鳴動音量を実現する。【選択図】図１
2014140092.tif 000002
【特許請求の範囲】
【請求項１】
近傍に存在する１以上の他無線電話端末を検知することが可能な無線電話端末であって、
前記近傍に存在している他無線電話端末が送信した無線信号を傍受する無線信号傍受手段を有し、
前記無線信号傍受手段が自無線電話端末の近傍に存在している他無線電話端末が送信した無線信号を傍受している状態で自無線電話端末に着信が到来した場合に、着信鳴動の音量を通常よりも低い音量または鳴動を停止することを特徴とする鳴動音量自動制御機能を有する無線電話端末。
【請求項２】
請求項１に記載の無線電話端末であって、
前記無線信号傍受手段が傍受した無線信号から、当該無線電波に含まれている送信元アドレス情報を抽出する近傍端末アドレス抽出手段と、前記近傍端末アドレス抽出手段が抽出したアドレスの異なるアドレス情報を計数するアドレス計数手段と、をさらに有し、
前記無線信号傍受手段が自無線電話端末の近傍に存在している他無線電話端末が送信した無線信号を傍受している状態で自無線電話端末に着信が到来した場合に、前記アドレス計数手段が計数したアドレス情報の計数値に応じて、自無線電話端末が備える表示部または鳴動部の表示内容または鳴動内容を予め定められた内容で自無線電話端末の操作者を呼び出すことを特徴とする鳴動音量自動制御機能を有する無線電話端末。
【請求項３】
請求項１または２に記載の無線電話端末であって、
自無線電話端末はマナーモードを有しており、
前記無線信号傍受手段は、前記マナーモードが設定されていない場合に、近傍に存在している他無線電話端末が送信した無線信号を傍受することを特徴とする鳴動音量自動制御機能を有する無線電話端末。
【請求項４】
請求項１から３のいずれかに記載の無線電話端末において、
前記無線信号傍受手段が受信する無線信号は、無線ＬＡＮ通信における無線フレームであって、
前記アドレス計数手段は、
検出した無線フレームのうち、当該無線フレームのヘッダ情報に含まれる送信元アドレスの異なる無線フレームを計数し、計数した送信元アドレスの異なる無線フレームの数を近傍に存在する１以上の無線端末の端末数として記憶することを特徴とする鳴動音量自動制御機能を有する無線電話端末。
【請求項５】
請求項４に記載の無線電話端末において、
他無線電話端末の製品名毎に予め送信元アドレスの上位複数ビットを記憶する製品種別記憶手段と、
前記アドレス計数手段が集計した送信元アドレスの数のうち、当該送信元アドレスの上位数ビットが前記製品種別記憶手段に記憶されている送信元アドレスの数を近傍に存在する１以上の無線電話端末の端末数として計数する近傍無線電話端末数計数手段とをさらに有することを特徴とする鳴動音量自動制御機能を有する無線電話端末。
【発明の詳細な説明】
【技術分野】
【０００１】
本発明は、無線電話端末の鳴動音量制御技術に関するものである。
【背景技術】
【０００２】
従来、無線電話端末は、着信を受け付けると予め自無線電話端末に記憶されている鳴動音量に基づいて鳴動を開始する。この際、自無線電話端末が鳴動することにより周囲に迷惑をかけてしまうことがあるという問題がある。これを解決するための技術として、例えば特許文献１がある。特許文献１には、アクセスポイントと前記アクセスポイントに帰属する無線電話端末とから構成される無線電話システムにおいて、アクセスポイントから送出される特定の信号を無線電話端末が受信することで、無線電話端末が鳴動音量を切り替える技術が開示されている。
【先行技術文献】
【特許文献】
【０００３】
【特許文献１】特開２００６−３３２８０４号公報
【発明の概要】
【発明が解決しようとする課題】
【０００４】
しかしながら、特許文献１の技術を適用する場合、アクセスポイントによって送信される前記特定の信号は、アクセスポイントの送信可能範囲内に限られるという問題がある。また、無線電話端末は、前記特定の信号を認識できる機能を具備しておく必要がある。よって、本発明の目的は、無線電話端末において、アクセスポイントの送信可能範囲以外であっても、無線電話端末のみで周囲に配慮した鳴動音量を実現することができる技術を提供することにある。
【課題を解決するための手段】
【０００５】
本発明は、上記課題に鑑みなされたもので、近傍に存在する１以上の他無線電話端末を検知することが可能な無線電話端末であって、前記近傍に存在している他無線電話端末が送信した無線信号を傍受する無線信号傍受手段を有し、自無線電話端末に着信が到来した場合に、前記無線信号傍受手段が自無線電話端末の近傍に存在している他無線電話端末が送信した無線信号を傍受している状態で着信が到来した場合に、着信鳴動の音量を通常よりも低い音量または鳴動を停止する無線電話端末である。
【発明の効果】
【０００６】
本発明によれば、自無線電話端末が受信する無線信号から迷惑がかかりそうな範囲の無線電話端末の数を計数し、計数した無線電話端末の数に応じて無線電話端末の鳴動音量を変更するため、アクセスポイントに送信可能範囲に係らず周囲に配慮した無線電話端末の鳴動音量を実現することができる。
【図面の簡単な説明】
【０００７】
【図１】本発明の一実施の形態に係る無線システムの概略構成図である。
【図２】無線電話端末１の概略機能構成図である。
【図３】無線電話端末１が検出対象とする無線信号のフレーム概略構成図である。
【図４】無線電話端末検出情報テーブル管理部１０３が保持する無線電話端末検出情報テーブル４００の概略構成図である。
【図５】鳴動レベルテーブル管理部１１０が保持する鳴動レベルテーブル５００の概略図である。
【図６】無線電話端末１の動作を説明するシーケンス図である。
【図７】無線電話端末１の動作を説明するフロー図である。
【発明を実施するための形態】
【０００８】
以下図面に基づいて本発明の実施形態について説明する。
図１は、本発明の一実施形態に係る無線システムの概略構成図である。
図示するように、本実施の形態に係る無線システムは、無線電話端末１−１及び無線電話端末１−２（以降、「無線電話端末１」と称することもある）と、無線端末２と、アクセスポイント３と、を備えて構成される。
【０００９】
複数の無線電話端末１と、無線端末２はアクセスポイント３に帰属しており、無線電話端末１と、無線端末２間の通信は原則アクセスポイント３を介して行うが、無線電話端末１と、無線端末２と、が送出する無線信号は、同一周波数帯の電波を使用するので、アクセスポイント３を経由しなくても、無線電話端末１と、無線端末２が受信範囲内にあれば直接無線信号を相互に検出することができる。
【００１０】
なお、本構成は本発明の実施形態を説明するうえでの構成であり、無線電話端末１、無線端末２の台数に、特別の制限はなく、何台存在してもよい。
【００１１】
図２は、無線電話端末１の概略機能構成図である。
図示するように、無線電話端末１は、鳴動・振動部１０１と、入出力インターフェース部１０２と、無線電話端末検出情報テーブル管理部１０３と、タイマ制御部１０４と、端末制御部１０５と、鳴動設定部１０６と、無線信号分析部１０７と、無線送受信部１０８と、無線制御部１０９と、鳴動レベルテーブル管理部１１０と、アンテナ１１１と、を有する。
【００１２】
鳴動・振動部１０１は、スピーカおよびバイブレータであり、端末管理部１０５からの鳴動指示に応じて、鳴動を開始、端末を振動させる。
【００１３】
入出力インターフェース部１０２は、ダイヤルキーを含むボタンキー、通話するためのマイク・レシーバであり、無線電話端末１の操作に係るインターフェースである。
【００１４】
無線電話端末検出情報テーブル管理部１０３は、無線電話端末検出情報テーブル４００（図４）を保持し、無線信号分析部１０７もしくは無線送受信部１０８の指示により無線電話端末検出情報テーブル４００を更新し、無線信号分析部１０７へ無線電話端末検出情報テーブル４００の内容を渡す。
【００１５】
タイマ制御部１０４は、検出中タイマと検出開始待ちタイマを制御する。
検出中タイマは、近傍の無線電話端末１検出中に動作するタイマである。検出中タイマの動作時間は、検出開始待ちタイマ満了により一定時間ごとに実施する無線電話端末１を検出する時間を予め規定する。検出中タイマの動作時間を長くすることで、１回あたりの無線電話端末１を検出する時間が長くなる。
【００１６】
検出開始待ちタイマは、近傍の無線電話端末１の検出を開始するまでの待ち時間に動作するタイマである。検出開始待ちタイマの動作時間は、近傍の無線電話端末１の検出終了から次回検出開始までの時間を予め規定する。検出開始待ちタイマの動作時間を短くすることで、無線電話端末１の検出を実施する間隔が短くなり、状況に応じた細やかな鳴動レベル５０２の切り替えを行うことができる。
【００１７】
タイマ制御部１０４は、上記検出中タイマもしくは検出開始待ちタイマ満了により無線信号送受信部１０９に対し、タイマ満了を通知する。
端末制御部１０５は、無線電話端末１の全体を制御する。
【００１８】
鳴動設定部１０６は、無線信号分析部１０７からの通知される計数値すなわち近傍に存在する無線電話端末１の検出台数と鳴動レベルテーブル管理部１１０から読み出した鳴動レベルテーブル５００（図５）の検出台数５０１とを照合し、一致する検出台数５０１に該当する鳴動レベル５０２を端末制御部１０５へ渡す。
【００１９】
無線信号分析部１０７は、無線送受信部１０８から無線信号フレーム３００（図３）が渡されると、無線電話端末検出情報テーブル管理部１０３から無線電話端末検出情報テーブル４００を読み出して、計数すべき無線電話端末か否かを判定する。無線信号分析部１０７は、計数すべき無線電話端末であった場合、無線電話端末検出情報テーブル管理部１０３に対し、無線電話端末検出情報テーブル４００の検出送信元アドレス４０４を更新する。なお、計数すべき無線電話端末か否かの判定方法の詳細については、図４を用いて後で説明する。
【００２０】
また、無線信号分析部１０７は、無線送受信部１０８からの指示により、無線電話端末検出情報テーブル４００の検出送信元アドレス４０４に登録されているアドレス数を計数し、近隣に存在する無線電話端末の台数として、鳴動設定部１０６へ計数値を渡す。
【００２１】
無線送受信部１０８は、アンテナ１１１と連携して無線信号送受信全般の処理を行う。無線送受信部１０８は、アンテナ１１１から電波を受信すると、受信した電波を無線信号フレーム３００に復調し、復調した無線信号フレーム３００を無線制御部１０９へ渡す。また、無線送受信部１０８は、無線制御部１０９から無線信号フレーム３００を受け取ると、無線信号フレーム３００を電波に変調し、アンテナ１１１を介して電波を送出する。
【００２２】
無線送受信部１０８は、ＯＦＤＭ（Ｏｒｔｈｏｇｏｎａｌ Ｆｒｅｑｕｅｎｃｙ
Ｄｉｖｉｓｉｏｎ Ｍｕｌｔｉｐｌｅｘｉｎｇ）に従い電波から無線信号フレーム３００への復調及び無線信号フレーム３００から電波への変調を行う。
【００２３】
また、無線送受信部１０８は、タイマ制御部１０４から検出開始待ちタイマ満了を通知されることにより、新たに検出開始待ちタイマ満了以後の無線電話端末検出情報テーブル４００の検出送信元アドレス４０４の記憶を開始するため、無線電話端末検出情報テーブル管理部１０３に対し、無線電話端末検出情報テーブル４００の検出送信元アドレス４０４を全て破棄するよう指示する。また、以後の無線信号受信において、無線分析部１０７が無線電話端末か否かの判定を行うため、無線送受信部１０８は、上記復調した無線信号フレーム３００を無線制御部１０９だけでなく無線分析部１０７へも渡す。
【００２４】
無線制御部１０９は、無線送受信部１０８から無線信号フレーム３００を受け取り、無線信号フレーム３００の宛先アドレス３０２を自端末のアドレスと比較し、自端末アドレスと一致しない場合は、無線信号フレーム３００を破棄する。無線制御部１０９は、上記自端末のアドレスと比較において、自端末アドレスと一致する場合は、無線信号フレーム３００のフレームボディ３０４を端末制御部１０５へ渡す。
【００２５】
鳴動レベルテーブル管理部１１０は、鳴動レベルテーブル５００を保持し、鳴動設定部１０６へ鳴動レベルテーブル５００を渡す。
アンテナ１１１は、電波を送出もしくは受信する。
【００２６】
図３は、無線電話端末１が検出対象とする無線信号フレーム３００の概略構成図である。
無線信号フレーム３００は、フレーム制御３０１と、宛先アドレス３０２と、送信元アドレス３０３と、フレームボディ３０４とを有する。無線信号フレーム３００は、ＩＥＥＥ８０２．１１フレームフォーマットに準拠する。
【００２７】
図４は、無線電話端末検出情報テーブル管理部１０３が保持する無線電話端末検出情報テーブル４００を説明する図である。
【００２８】
無線電話端末検出情報テーブル４００は、メーカー種別４０１と、機種種別４０２と、無線電話端末フィルタ４０３と、検出送信元アドレス４０４とを有する。無線電話端末フィルタ４０３は、ＭＡＣアドレスのメーカー種別４０１と機種種別４０２を識別するための情報である。無線分析部１０７により、無線電話端末フィルタ４０３と無線信号フレーム３００の送信元アドレス３０３をビット単位のＡＮＤ演算し、演算結果が無線電話端末フィルタ４０３と一致することで、送信元アドレス３０３が無線電話端末フィルタ４０３のメーカー種別４０１と機種種別４０２に該当する無線電話端末であると判定することが可能である。
【００２９】
上記無線電話端末と判定された送信元アドレス３０３のうち、無線電話端末検出情報テーブル４００の検出送信元アドレス４０４に存在しないものを無線分析部１０７が判定し、ないものについては、無線分析部１０７からの指示により、無線電話端末検出情報テーブル管理部１０３が、無線電話端末フィルタ４０３の検出送信元アドレス４０４に追加記憶する。
【００３０】
図５は、鳴動レベルテーブル管理部１１０が保持する鳴動レベルテーブル５００を説明する図である。検出台数５０１は、無線電話端末の検出数がどの範囲にあるかを示し、鳴動レベル５０２は、検出台数５０１の無線電話端末検出数に応じた鳴動音量、すなわち近傍の無線電話端末１を保有していると思われる人の数に対して迷惑をかけない鳴動音量を規定したものである。鳴動設定部１０６が、近傍の無線電話端末台数検出結果の計数を検出台数５０１に当てはめ、当てはまった検出台数５０１に対応した鳴動レベル５０２に切り替えることにより、近傍の人に配慮した鳴動音量とする。
【００３１】
図６は、無線電話端末１−１の動作を説明するシーケンス図である。
なお、無線電話端末１−１と、無線電話端末１−２と、無線端末２はあらかじめアクセスポイント３に帰属しており（Ｓ６０１〜Ｓ６０３）、ＩＥＥＥ８０２．１１に準拠した無線通信を行っているものとする。
【００３２】
無線電話端末１−１の検出開始待ちタイマが満了する（Ｓ６０４）と、タイマ制御部１０４から無線送受信部１０８に対して検出開始待ちタイマ満了が通知され、無線送受信部１０８からの指示により無線電話端末検出情報テーブル管理部１０３が無線電話端末検出情報テーブル４００の検出送信元アドレス４０４を全て破棄する（Ｓ６０５）。
【００３３】
この検出送信元アドレス４０４を全て破棄することで、検出送信元アドレス４０４は検出開始待ちタイマ満了後に記憶されたアドレスのみとなるので、検出開始待ちタイマ満了後から計数するまでの一定時間に検出した無線電話端末１の数を得ることができる。
【００３４】
次に、タイマ制御部１０４により、検出中タイマが開始される（Ｓ６０６）。検出中タイマ開始後、無線電話端末１−１が電波を受信すると、無線送受信部１０８はアンテナ１１１から受信した電波を無線信号フレーム３００に復調し、無線信号分析部１０７に対し、受信した無線信号フレーム３００を渡す（Ｓ６０７）。無線信号分析部１０７は、無線電話端末１−１が無線信号フレーム３００で受信した送信元アドレス３０３と無線電話端末検出情報テーブル管理部１０３から読み出した無線電話端末検出情報テーブル４００の無線電話端末フィルタ４０３とを演算し、演算結果より一致するか否かを判定する無線信号分析を繰り返し行う。
【００３５】
上記無線信号分析において、一致する無線信号を検出した場合（Ｓ６０８）、無線信号分析部１０７は、無線電話端末検出情報テーブル管理部１０３に対し、無線電話端末検出情報テーブル４００の検出送信元アドレス４０４に存在しないものを一致した無線電話端末フィルタ４０３に該当する無線電話端末検出情報テーブル４００の検出送信元アドレス４０４へ追加記憶するように指示することで、無線電話端末検出情報テーブル管理部１０３が無線電話端末検出情報テーブル４００の検出送信元アドレス４０４へ無線信号フレーム３００で受信した送信元アドレス３０３を追加記憶する（Ｓ６０９）。
【００３６】
上記無線信号分析において、無線電話端末以外の無線端末２を検出した場合（Ｓ６１０）、無線信号分析部１０７は、無線信号分析のみ行い無線電話端末検出情報テーブル管理部１０３に対し、無線電話端末検出情報テーブル４００の更新を指示しない（Ｓ６１１）。
【００３７】
上記無線信号分析において、無線電話端末１−２を検出しても、無線信号分析部１０７が無線信号フレーム３００のフレーム制御３０１情報のＦｒｏｍＤＳビットが１であることによりアクセスポイント３経由の無線信号と判断した場合（Ｓ６１２）は、送信元アドレス３０３が無線電話端末１−２であっても無線電話端末１−２が直接送出した無線信号ではなく、アクセスポイント３が中継した無線信号であるため、近傍に無線電話端末１−２を検知できたとはいえない。このため、無線信号分析部１０７は、無線信号分析のみ行い無線電話端末検出情報テーブル管理部１０３に対し、無線電話端末検出情報テーブル４００の更新を指示しない（Ｓ６１３）。
【００３８】
検出中タイマ満了により、タイマ制御部１０４から無線送受信部１０８に対し、タイマの満了が通知され（Ｓ６１４）、無線送受信部１０８の指示により、無線信号分析部１０７が、無線電話端末検出情報テーブル管理部１０３から無線電話端末検出情報テーブル４００を読み出し、無線電話端末検出情報テーブル４００に記憶されている検出送信元アドレス４０４を計数し、鳴動設定部１０６へ計数値を通知する。
【００３９】
鳴動設定部１０６は、無線信号分析部１０７からの通知された計数値から鳴動レベルテーブル管理部１１０から読み出した鳴動レベルテーブル４００の検出台数５０１に該当する鳴動レベル５０２を端末制御部１０５に通知する。以後、無線電話端末１−１は、通知された鳴動レベルに準じた鳴動音量に切り替わる（Ｓ６１５）。
上記鳴動レベル通知後、タイマ制御部１０４が、検出待ちタイマを開始する（Ｓ６１６）。
【００４０】
図７は、無線電話端末１の動作を説明するフロー図である。
尚、本フローは無線電話端末１の電源が投入された状態から開始される。
電源が投入されると、無線電話端末１は無線送受信部１０８からの指示により無線電話端末検出情報テーブル管理部１０３が無線電話端末検出情報テーブル４００の検出送信元アドレス４０４を全て破棄する（Ｓ７０１）。
【００４１】
次に、タイマ制御部１０４により検出中タイマが開始される（Ｓ７０２）。検出中タイマ開始後、無線送受信部１０８は、タイマ制御部１０４から通知される検出中タイマ満了（Ｓ７１１）もしくは無線信号検出を待つ（Ｓ７０３）。
【００４２】
無線信号が検出された場合（Ｓ７０３でＹＥＳ）、無線信号分析部１０７は無線信号フレーム３００のフレーム制御３０１情報のＦｒｏｍＤＳビットからアクセスポイント経由の受信であるかを判別する（Ｓ７０４）。無線信号分析部１０７により、アクセスポイント経由の受信と判断された場合（Ｓ７０５でＹＥＳ）、以後の無線信号分析は行わない。
【００４３】
無線信号分析部１０７により、アクセスポイント経由の受信ではないと判断された場合（Ｓ７０５でＮＯ）、無線信号分析部１０７は、無線電話端末１が無線信号フレーム３００で受信した送信元アドレス３０３と無線電話端末検出情報テーブル管理部１０３から読み出した無線電話端末検出情報テーブル４００の無線電話端末フィルタ４０３とを演算し、その結果を比較し一致するか否を判定することで、無線電話端末が送信元であるかを判定する（Ｓ７０６）。
【００４４】
無線信号分析部１０７により、送信元が無線電話端末ではないと判定された場合（Ｓ７０７でＮＯ）、以後の無線信号分析は行わない。無線信号分析部１０７により、送信元が無線電話端末であると判定された場合（Ｓ７０７でＹＥＳ）、無線信号分析部１０７は、無線電話端末検出情報テーブル管理部１０３から無線電話端末検出情報テーブル４００を読み出し、無線信号フレーム３００の送信元アドレス３０３を無線電話端末検出情報テーブル４００の検出送信元アドレス４０４から検索する（Ｓ７０８）。
【００４５】
無線電話端末検出情報テーブル４００に検出した無線信号の送信元アドレス３０３と同一のものがある場合（Ｓ７０９でＹＥＳ）、無線信号分析を終了する。同一のものがない場合（Ｓ７１６でＮＯ）、無線信号分析部１０７は無線電話端末検出情報テーブル管理部１０３に対し、無線電話端末検出情報テーブル４００の検出送信元アドレス４０４へ追加記憶するように指示することで、無線電話端末検出情報テーブル管理部１０３が無線電話端末検出情報テーブル４００の検出送信元アドレス４０４へ無線信号フレーム３００で受信した送信元アドレス３０３を追加記憶する（Ｓ７１０）。
【００４６】
検出中タイマが満了した場合（Ｓ７１１でＹＥＳ）、タイマ制御部１０４から無線送受信部１０８に対し、タイマの満了が通知され、無線送受信部１０８の指示により、無線信号分析部１０７が、無線電話端末検出情報テーブル管理部１０３から無線電話端末検出情報テーブル４００を読み出し、無線電話端末検出情報テーブル４００に記憶されている検出送信元アドレス４０４の登録アドレス数を計数する（Ｓ７１２）。
【００４７】
計数後、無線信号分析部１０７は、鳴動設定部１０６へ計数値を通知する。鳴動設定部１０６は、無線信号分析部１０７からの通知された計数値から鳴動レベルテーブル管理部１１０から読み出した鳴動レベルテーブル５００の検出台数５０１に該当する鳴動レベル５０２を端末制御部１０５に通知する。以後、無線電話端末１は、通知された鳴動レベルに準じた鳴動音量に切り替わる（Ｓ７１３）。
【００４８】
上記鳴動レベル通知後、タイマ制御部１０４が、検出待ちタイマを開始する（Ｓ７１４）。検出待ちタイマ満了により、タイマ制御部１０４から無線送受信部１０８に対し、検出待ちタイマの満了が通知され（Ｓ７１５でＹＥＳ）、無線電話端末１は、上記動作（Ｓ７０１以降）を繰り返し開始する。
以上、本発明の一実施形態について説明した。
【００４９】
本実施の形態において、無線電話端末１は、無線電話端末１が受信する無線信号から無線電話端末１の数を計数し、計数した無線電話端末１の数に応じて鳴動音量を変更するため、近傍に配慮した着信鳴動を実現することができる。
なお、本発明は上記の実施形態に限定されるものではなく、その要旨の範囲内で様々な変形が可能である。
【００５０】
例えば、上記の実施形態において、無線電話端末１を例にとり説明したが、無線電話端末１に限定せず電話機能を有していない無線端末であってもよい。また、本実施形態では、図５に示す鳴動レベルテーブル５００は、鳴動に係るものに限定せず無線電話端末１の表示を切り替えるなどでもよい。
【００５１】
本実施形態では、無線電話端末１は近傍の無線電話端末を定期的に計数し、計数するごとに鳴動音量を切り替えているが、例えばマナーモード設定し忘れ時に近傍無線電話端末を検出すると直ちにマナーモードに切り替えるなど、定期的な切り替えまたは検出数による切り替えに限定しない。
【符号の説明】
【００５２】
１、１−１，１−２      無線電話端末
２        無線端末
３        アクセスポイント
１０１    鳴動・振動部
１０２    入出力インターフェース部
１０３    無線電話端末検出情報テーブル管理部
１０４    タイマ制御部
１０５    端末制御部
１０６    鳴動設定部
１０７    無線信号分析部
１０８    無線送受信部
１０９    無線制御部
１１０    鳴動レベルテーブル管理部
１１１    アンテナ
【図１】
2014140092.tif 000003
【図２】
2014140092.tif 000004
【図３】
2014140092.tif 000005
【図４】
2014140092.tif 000006
【図５】
2014140092.tif 000007
【図６】
2014140092.tif 000008
【図７】
2014140092.tif 000009